(57)【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群と、からなるズームレンズにおいて、
ズーミングに際して、隣接する各レンズ群同士の間隔が変化し、
第１レンズ群は合焦時固定の第１Ａレンズ群と、合焦時に移動する正の屈折力の第１Ｂレンズ群を有し、
前記第１Ｂレンズ群は２枚の正レンズから構成され、
以下の条件式を満足することを特徴とするズームレンズ。
（１）−０．１＜ｆ１／ｆ１Ａ＜０．１３
（２）−３．０＜ｆ３／ｆ２＜−１．２
（３）１．２＜ｆ１Ｂ／ｆ４＜３．０
但し、
ｆ１：第１レンズ群の焦点距離
ｆ１Ａ：第１Ａレンズ群の焦点距離
ｆ２：第２レンズ群の焦点距離
ｆ３：第３レンズ群の焦点距離
ｆ１Ｂ：第１Ｂレンズ群の焦点距離
ｆ４：第４レンズ群の焦点距離
【請求項２】
以下の条件を満足することを特徴とする請求項１に記載のズームレンズ。
（４）０．５＜φＥＸＰ／ｆ４＜１．２
但し、
φＥＸＰ：望遠端における射出瞳直径
【請求項３】
以下の条件を満足することを特徴とする請求項１又は２に記載のズームレンズ。
（５）ν１Ｂ＞６７
但し、
ν１Ｂ：第１Ｂレンズ群に含まれる正レンズのアッベ数のうち、最大のもの
【請求項４】
前記第１Ａレンズ群は少なくとも１枚の正レンズを含み、以下の条件を満足することを特徴とする請求項１乃至３のいずれか１項に記載のズームレンズ。
（６）ν１Ａ＞６７
但し、
ν１Ａ：第１Ａレンズ群に含まれる正レンズのアッベ数のうち、最大のもの
【請求項５】
前記第４レンズ群内に開口絞りを配置したことを特徴とする請求項１乃至４のいずれか１項に記載のズームレンズ。
【請求項６】
前記第２レンズ群は少なくとも１枚の正レンズを含み、以下の条件を満足することを特徴とする請求項１乃至５のいずれか１項に記載のズームレンズ。
（７）νｐ２＜２５
但し、
νｐ２：第２レンズ群に含まれる正レンズのアッベ数のうち、最小のもの
【請求項７】
前記第１Ａレンズ群は、物体側から順に、１枚の負レンズと、１枚の正レンズとの接合レンズで構成されることを特徴とする請求項１乃至６のいずれか１項に記載のズームレンズ。
【発明の詳細な説明】
【技術分野】
【０００１】
本発明は、デジタル一眼レフカメラ等に好適なズームレンズに関する。
【背景技術】
【０００２】
近年、デジタルカメラ等の電子撮像装置に用いられるズームレンズには、ズーム全域、フォーカス全域において高い光学性能を有することが要求されている。
【０００３】
また、これらのズームレンズには、大口径であることが要求されている。大口径レンズでは、高速なシャッタースピードが得られ、屋内撮影時等においても手振れを低減することが容易となる。或いは、浅い被写界深度を利用した表現方法が可能となる。
【０００４】
ズームレンズのうち、物体側から順に合焦用の正の屈折力の第１群、変倍用の負の屈折力の第２群、変倍に伴い変動する像面を補正するための正または負の屈折力の第３群、結像用の正の屈折力の第４群の４つのレンズ群より成る所謂４群ズームレンズが知られている。
【０００５】
ズームレンズとして変倍レンズ群より物体側に位置するレンズ群により合焦を行う方式では、変倍と合焦が独立に行えるため、移動のための機構を簡略化できる。また、ズーミングによるピント移動が生じず、一定の物体距離に対してはズーム位置によらず一定の繰り出し量でフォーカシングを行えるという特徴を有している。
【０００６】
このようなズームレンズのうち、第１レンズ群を前群と後群に分割して、後群を合焦時に移動するフォーカスレンズ群とした、所謂インナーフォーカス方式のものが知られている。
【先行技術文献】
【特許文献】
【０００７】
【特許文献１】特開２００６−３０１４１２号公報
【特許文献２】特開２００８−２１６４８０号公報
【特許文献３】特開平７−４３６１１号公報
【発明の概要】
【発明が解決しようとする課題】
【０００８】
大口径で明るい光学系は被写界深度が浅くなるため諸収差が目立ちやすく、より高精度な収差補正が求められている。大口径ズームレンズで、全変倍範囲及び全フォーカス範囲にわたり収差変動が少なく高い光学性能を得るためには、各レンズ群の屈折力を小さくして各レンズ群で発生する収差量を小さくする必要がある。
【０００９】
特許文献１に開示された光学系は、１群を二つまたは三つに分割し、分割した各群をフォーカス時に移動させる構成をとっている。ズーム全域でＦナンバーが２程度を確保しているが、フォーカシング時に移動する各レンズの移動量が異なる所謂フローティング方式であり、また変倍に際して開口絞りの大きさも変化させなければならないなど、機構の複雑化を招いている。
【００１０】
特許文献２に開示された光学系は、第１レンズ群を前群と後群に分割して、後群をフォーカシング時に移動するフォーカスレンズ群としている。しかし、最短撮影距離での光学性能、特に軸上色収差の補正が不十分である。
【００１１】
特許文献３に開示された光学系は、第１レンズ群を前群と後群に分割して、後群をフォーカシング時に移動するフォーカスレンズ群としているが、比較的小さな撮像素子サイズ用に設計されている。これらの光学系をＡＰＳ−Ｃ、３５ｍｍフィルムサイズ等の撮像素子を持つデジタルカメラ等に適するよう像高をスケーリングすると、光学系のサイズが巨大化するという問題がある。
【００１２】
本発明はこのような状況に鑑みてなされたものであり、デジタルカメラ等に好適な、全変倍範囲、全フォーカス範囲において、高い光学性能を有し、製造が容易な、インナーフォーカス方式で大口径のズームレンズを提供することを目的とする。
【課題を解決するための手段】
【００１３】
上記課題を解決するための手段である第１の発明は、物体側から順に、正の屈折力を有する第１レンズ群と、負の屈折力を有する第２レンズ群と、正の屈折力を有する第３レンズ群と、正の屈折力を有する第４レンズ群からなり、ズーミングに際して、隣接する各レンズ群同士の間隔が変化し、第１レンズ群は合焦時固定の第１Ａレンズ群と、合焦時に移動する正の屈折力の第１Ｂレンズ群を有し、前記第１Ｂレンズ群は２枚の正レンズから構成され、以下の条件式を満足することを特徴とするズームレンズである。
（１）−０．１＜ｆ１／ｆ１Ａ＜０．１３
（２）−３．０＜ｆ３／ｆ２＜−１．２
（３）１．２＜ｆ１Ｂ／ｆ４＜３．０
但し、
ｆ１：第１レンズ群の焦点距離
ｆ１Ａ：第１Ａレンズ群の焦点距離
ｆ２：第２レンズ群の焦点距離
ｆ３：第３レンズ群の焦点距離
ｆ１Ｂ：第１Ｂレンズ群の焦点距離
ｆ４：第４レンズ群の焦点距離
【００１５】
また第２の発明は、第１の発明においてさらに、以下の条件を満足することを特徴とするズームレンズである。
（４）０．５＜φＥＸＰ／ｆ４＜１．２
但し、
φＥＸＰ：望遠端における射出瞳直径
【００１７】
また第３の発明は、第１又は２の発明においてさらに、以下の条件を満足することを特徴とするズームレンズである。
（５）ν１Ｂ＞６７
但し、
ν１Ｂ：第１Ｂレンズ群に含まれる正レンズのアッベ数のうち、最大のもの
【００１８】
また第４の発明は、第１乃至３いずれかの発明においてさらに、前記第１Ａレンズ群が少なくとも１枚の正レンズを含み、以下の条件を満足することを特徴とするズームレンズである。
（６）ν１Ａ＞６７
但し、
ν１Ａ：第１Ａレンズ群に含まれる正レンズのアッベ数のうち、最大のもの
【００１９】
また第５の発明は、第１乃至４いずれかの発明においてさらに、前記第４レンズ群内に開口絞りを配置したことを特徴とするズームレンズである。
【００２０】
また第６の発明は、第１乃至５いずれかの発明においてさらに、前記第２レンズ群が少なくとも１枚の正レンズを含み、以下の条件を満足することを特徴とするズームレンズである。
（７）νｐ２＜２５
但し、
νｐ２：第２レンズ群に含まれる正レンズのアッベ数のうち、最小のもの
【００２１】
また第７の発明は、第１乃至６いずれかの発明においてさらに、前記第１Ａレンズ群が、物体側から順に、１枚の負レンズと、１枚の正レンズとの接合レンズで構成されることを特徴とするズームレンズである。
【図面の簡単な説明】
【００２２】
【図１】本発明のズームレンズの実施例１に係る広角端のレンズ構成図である。
【図２】本発明のズームレンズの実施例２に係る広角端のレンズ構成図である。
【図３】本発明のズームレンズの実施例３に係る広角端のレンズ構成図である。
【図４】本発明のズームレンズの実施例４に係る広角端のレンズ構成図である。
【図５】本発明のズームレンズの実施例５に係る広角端のレンズ構成図である。
【図６】実施例１のズームレンズの広角端無限遠の縦収差図である。
【図７】実施例１のズームレンズの広角端至近端の縦収差図である。
【図８】実施例１のズームレンズのズーム中間域無限遠の縦収差図である。
【図９】実施例１のズームレンズのズーム中間域至近端の縦収差図である。
【図１０】実施例１のズームレンズの望遠端無限遠の縦収差図である。
【図１１】実施例１のズームレンズの望遠端至近端の縦収差図である。
【図１２】実施例２のズームレンズの広角端無限遠の縦収差図である。
【図１３】実施例２のズームレンズの広角端至近端の縦収差図である。
【図１４】実施例２のズームレンズのズーム中間域無限遠の縦収差図である。
【図１５】実施例２のズームレンズのズーム中間域至近端の縦収差図である。
【図１６】実施例２のズームレンズの望遠端無限遠の縦収差図である。
【図１７】実施例２のズームレンズの望遠端至近端の縦収差図である。
【図１８】実施例３のズームレンズの広角端無限遠の縦収差図である。
【図１９】実施例３のズームレンズの広角端至近端の縦収差図である。
【図２０】実施例３のズームレンズのズーム中間域無限遠の縦収差図である。
【図２１】実施例３のズームレンズのズーム中間域至近端の縦収差図である。
【図２２】実施例３のズームレンズの望遠端無限遠の縦収差図である。
【図２３】実施例３のズームレンズの望遠端至近端の縦収差図である。
【図２４】実施例４のズームレンズの広角端無限遠の縦収差図である。
【図２５】実施例４のズームレンズの広角端至近端の縦収差図である。
【図２６】実施例４のズームレンズのズーム中間域無限遠の縦収差図である。
【図２７】実施例４のズームレンズのズーム中間域至近端の縦収差図である。
【図２８】実施例４のズームレンズの望遠端無限遠の縦収差図である。
【図２９】実施例４のズームレンズの望遠端至近端の縦収差図である。
【図３０】実施例５のズームレンズの広角端無限遠の縦収差図である。
【図３１】実施例５のズームレンズの広角端至近端の縦収差図である。
【図３２】実施例５のズームレンズのズーム中間域無限遠の縦収差図である。
【図３３】実施例５のズームレンズのズーム中間域至近端の縦収差図である。
【図３４】実施例５のズームレンズの望遠端無限遠の縦収差図である。
【図３５】実施例５のズームレンズの望遠端至近端の縦収差図である。
【発明を実施するための形態】
【００２３】
本発明のズームレンズは、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４を有し、第１レンズ群Ｇ１は、合焦時に固定の第１Ａレンズ群Ｇ１Ａと、合焦時に移動する正の屈折力の第１Ｂレンズ群Ｇ１Ｂ、を有することを特徴とする。
【００２４】
本発明のズームレンズは、さらに以下の条件式を満足することを特徴とする。
（１）        −０．１＜ｆ１／ｆ１Ａ＜０．２
ｆ１：第１レンズ群Ｇ１の焦点距離
ｆ１Ａ：第１Ａレンズ群Ｇ１Ａの焦点距離
【００２５】
条件式（１）は、第１レンズ群と第１Ａレンズ群の屈折力の比を規定している。
【００２６】
一般に、第１レンズ群の屈折力を固定した条件下において、第１Ａレンズ群の正の屈折力が強くなると、フォーカス群である第１Ｂレンズの屈折力は弱くなり、フォーカス群の繰り出し量が増加する。或いは、第１Ｂレンズ群の屈折力を固定した条件下において、第１Ａレンズ群の正の屈折力が強くなると、第１レンズ群の屈折力が強くなり、第１レンズ群で発生する球面収差が増大してしまう。
【００２７】
条件式（１）の上限値を超え、第１Ａレンズ群の正の屈折力が強くなると、前記理由により、全系で発生する球面収差が増大し、好ましくない。または、光学系が大型化してしまい、好ましくない。
【００２８】
また、一般に、第１レンズ群の屈折力を固定した条件下において、第１Ａレンズ群の負の屈折力が強くなると、フォーカス群である第１Ｂレンズの屈折力は強くなり、フォーカシング時の球面収差や非点収差の変動が大きくなる。或いは、第１Ｂレンズ群の屈折力を固定した条件下において、第１Ａレンズ群の負の屈折力が強くなると、第１レンズ群の屈折力が弱くなり、結果として全長が大きくなってしまう。
【００２９】
条件式（１）の下限値を超え、第１Ａレンズ群の負の屈折力が強くなると、前記理由により、フォーカシング時の球面収差や非点収差の変動を抑えることができず、好ましくない。または、光学系が大型化してしまい、好ましくない。
【００３０】
なお、上述した条件式（１）の数値範囲については、その上限値を０．１３、その下限値を−０．０８に規定することで、前述の効果をより確実にすることができる。
【００３１】
本発明のズームレンズは、さらに以下の条件式を満足することを特徴とする。
（２）      −３．０＜ｆ３／ｆ２＜−１．２
ｆ２：第２レンズ群Ｇ２の焦点距離
ｆ３：第３レンズ群Ｇ３の焦点距離
【００３２】
条件式（２）は、第２レンズ群と第３レンズ群の屈折力の比を規定している。本発明のズームレンズにおいては、第２レンズ群が変倍作用を担うバリエータ群であり、変倍時の収差変動を抑制し良好な光学性能を得るには、第２レンズ群での収差が良く補正されている必要がある。しかし、そのために第２レンズ群の屈折力を弱めすぎると、光学系の大型化を招き好ましくない。条件式（２）を満たすことで、光学系が大型になるのを抑制しつつ、変倍時の収差変動を抑制し、良好な光学性能を効率的に実現している。
【００３３】
条件式（２）の上限を超え、第３レンズ群の正の屈折力が相対的に大きくなると、第３レンズ群で発生する球面収差や非点収差を補正するのが困難になる。または、第２レンズ群の正の屈折力が相対的に小さくなると、第２レンズ群の移動量が大きくなり、光学系が大型化してしまい、好ましくない。
【００３４】
条件式（２）の下限を超え、第２レンズ群の負の屈折力が相対的に大きくなると、第２レンズ群で発生する球面収差や非点収差を補正するのが困難になる。または、第３レンズ群の正の屈折力が相対的に小さくなると、第３レンズ群の移動量が大きくなり、第３レンズ群を通過する主光線位置の変動が大きくなるため、変倍時の非点収差の変動を抑制するのが困難になる。また、第３レンズ群の移動量が大きくなることで光学系が大型化してしまい、好ましくない。
【００３５】
なお、上述した条件式（２）の数値範囲については、その上限値を−１．７、その下限値を−２．７に規定することで、前述の効果をより確実にすることができる。
【００３６】
また、本発明のズームレンズは、さらに以下の条件式を満足することが望ましい。
（３）      １．２＜ｆ１Ｂ／ｆ４＜３．０
ｆ１Ｂ：第１Ｂレンズ群Ｇ１Ｂの焦点距離
ｆ４：第４レンズ群Ｇ４の焦点距離
【００３７】
条件式（３）は、フォーカス群である第１Ｂレンズ群の焦点距離と、第４レンズ群の焦点距離との比を規定している。本発明におけるズームレンズにおいて、フォーカス全域で優れた光学性能を得るには、フォーカス群で発生する収差をなるべく小さく抑える必要がある。条件式（３）を満足することで、フォーカス全域で球面収差や非点収差の変動を抑えて、優れた光学性能を得ることができる。
【００３８】
条件式（３）の上限値を超え、第４レンズ群の屈折力が強くなると、光学系全系で球面収差や非点収差を補正するのが困難となる。または、第１Ｂレンズ群の屈折力が弱くなりすぎるため、フォーカシング時の移動量が大きくなりすぎて光学系の大型化を抑制するのが困難となる。
【００３９】
条件式（３）の下限値を超え、第４レンズ群の屈折力が弱くなると、第４レンズ群の焦点距離が長くなり、光学全長が大型化してしまう。または、フォーカス群である第１Ｂレンズ群の屈折力が強くなりすぎるため、特に望遠側でのフォーカシングによる球面収差の変動が大きくなってしまう。
【００４０】
なお、上述した条件式（３）の数値範囲については、その上限値を２．３、その下限値を１．３に規定することで、前述の効果をより確実にすることができる。
【００４１】
また、本発明のズームレンズは、さらに以下の条件を満足することが望ましい。
（４）      ０．５＜φＥＸＰ／ｆ４＜１．２
φＥＸＰ：望遠端における射出瞳直径
【００４２】
条件式（４）は、望遠端における射出瞳直径と、第４レンズ群の焦点距離との比を規定している。条件式（４）を満足することで、Ｆ２以下の小さなＦナンバーを持つズームレンズにおいても、球面収差等を抑えつつ大口径化することが可能となる。
【００４３】
条件式（４）の上限値を超え第４レンズ群の屈折力が強くなると、全系で球面収差や非点収差が発生しやすくなってしまう。或いは、射出瞳直径が巨大になり、レンズ径の大型化を招くといった問題が生じる。
【００４４】
条件式（４）の下限値を超え射出瞳直径に対して第４レンズ群の焦点距離が長くなると、光学全長が大型化してしまう。なお、上述した条件式（４）の数値範囲については、その上限値を０．９、その下限値を０．６５に規定することで、前述の効果をより確実にすることができる。
【００４５】
また、本発明のズームレンズは、さらに第１Ｂレンズ群が、２枚の正レンズのみから構成されることが望ましい。正レンズ１枚ではフォーカス全域で球面収差を補正することが困難である。または、負レンズを含めると、フォーカス群の重量が増加するため、好ましくない。
【００４６】
また、以下の条件式を満足することが望ましい。
（５）        ν１Ｂ＞６７
ν１Ｂ：第１Ｂレンズ群Ｇ１Ｂに含まれる正レンズのアッベ数のうち、最大のもの
【００４７】
条件式（５）は、第１Ｂレンズ群に含まれる正レンズの硝材のアッベ数に関する条件式である。本発明では、フォーカス群を正レンズのみで構成するため、接合の色消しレンズで構成するよりも色収差の補正能力は落ちるものの、各面の屈折力を弱くできるため単一波長での収差は補正しやすい。また、条件式（５）を満足することで、正レンズにクラウン系硝材が使用されるため、硝材の比重を小さくでき、フォーカス群の軽量化をしやすくなるなどのメリットがある。また、条件式（５）を満足することで、フォーカス群自体の色収差を抑え、さらにフォーカシング時の色収差の変動を抑えることが可能になり、ズーム全域、フォーカス全域で軸上色収差を小さく抑えることができる。
【００４８】
なお、上述した条件式（５）の数値範囲については、その下限値を８０に規定することで、現存する硝材では部分分散比が大きくなる傾向にあるので、２次スペクトルの補正にも効果的であり、前述の効果をより確実にすることができる。
【００４９】
また、本発明のズームレンズは、さらに第１Ａレンズ群に少なくとも１枚の正レンズを含み、以下の条件式を満足することが望ましい。
（６）        ν１Ａ＞６７
ν１Ａ：第１Ａレンズ群Ｇ１Ａに含まれる正レンズのアッベ数のうち、最大のもの
【００５０】
条件式（６）は、第１Ａレンズ群に含まれる正レンズの硝材のアッベ数に関する条件式である。ズーミング時およびフォーカシング時にレンズ群の移動により発生する収差変動の影響を小さく抑えるため、第１Ａレンズ群で発生する色収差は、第１Ａレンズ群自体で十分に補正されている必要がある。条件式（６）を満足することで、全系での残存する軸上色収差を小さく抑えることができる。
【００５１】
なお、上述した条件式（６）の数値範囲については、その下限値を８０に規定することで、現存する硝材では部分分散値が大きくなる傾向にあるので、２次スペクトルの補正にも効果的であり、前述の効果をより確実にすることができる。
【００５２】
また、本発明のズームレンズは、さらに開口絞りを第４レンズ群に配置することが望ましい。変倍時および合焦時に固定である第４レンズ群に開口絞りを配置することにより、フォーカシング時の光線のケラレが発生しにくくなる。
【００５３】
また、本発明のズームレンズは、さらに第２レンズ群に少なくとも１枚の正レンズを含み、以下の条件式を満足することが望ましい。
（７）        νｐ２＜２５
νｐ２：第２レンズ群Ｇ２に含まれる正レンズのアッベ数のうち、最小のもの
【００５４】
条件式（７）は、第２レンズ群を構成する正レンズのアッベ数に関する条件式である。変倍時に移動する第２レンズ群で発生する色収差を十分に補正することで、ズーミング時の色収差変動を抑えることが可能になる。上限式（７）を満足することで、第２レンズ群でのズーミング時に残存する軸上色収差を小さく抑えることができる。
【００５５】
なお、上述した条件式（７）の数値範囲については、その上限値を２２に規定することで、現存する硝材では部分分散比が大きくなる傾向にあるので、２次スペクトルの補正にも効果的であり、前述の効果をより確実にすることができる。
【００５６】
また、第１Ａレンズ群は、物体側から順に、１枚の負レンズと１枚の正レンズとの接合レンズから構成されることが望ましい。
【００５７】
物体側から入射する軸外光線に於いて、物体側から順に負レンズ、正レンズの配置とすることにより、負レンズの発散作用により、正レンズへ入射する軸外の光線角度を緩くすることができるため、第１Ａレンズ群で発生するコマ収差や非点収差等の画角に依存して発生する収差を小さく抑えることができる。第１Ａレンズ群で諸収差をよく補正することで、フォーカスレンズ群である第１Ｂレンズ群での補正作用を軽減することができ、近距離時においても良好な収差補正を達成している。
【００５８】
さらに、第１Ａレンズ群に使用される正レンズの硝材は、色収差を良好に補正するために、異常分散性の高い低アッベ数の硝材を使用することが好ましいが、これらの硝材は一般に摩耗度が大きく傷がつきやすいため、光学系の最も物体側に配置するのは好ましくない。本実施例の形態では、摩耗度の比較的小さい硝材を光学系の物体側に配置することで、硝材に傷が生じ光学性能が低下することを抑制している。
【００５９】
次に、本発明の光学系に係る実施例のレンズ構成について説明する。なお、以下の説明ではレンズ構成を物体側から像面側の順番で記載する。
【実施例１】
【００６０】
図１は、本発明の各々実施例１のズームレンズのレンズ構成図である。物体側より順に、第１レンズ群Ｇ１と、第２レンズ群Ｇ２と、第３レンズ群Ｇ３と、第４レンズ群Ｇ４から構成されている。
【００６１】
第１レンズ群Ｇ１は合焦時固定の第１Ａレンズ群Ｇ１Ａと、合焦時に移動する正の屈折力の第１Ｂレンズ群Ｇ１Ｂで構成されており、第１レンズ群Ｇ１は全体として正の屈折力を有している。合焦時固定の第１Ａレンズ群Ｇ１Ａは全体として負の屈折力を有しており、物体側に凸面を向けた負メニスカスレンズＬ１ａと両凸形状の正レンズＬ１ｂの２枚のレンズからなる接合レンズで構成されている。合焦時移動の第１Ｂレンズ群Ｇ１Ｂは全体として正の屈折力を有しており、両凸形状の正レンズＬ１ｃと、物体側に凸面を向けた正メニスカスレンズＬ１ｄとで構成されている。
【００６２】
第２レンズ群Ｇ２は全体として負の屈折力を有しており、像側に凸面を向けた正メニスカスレンズＬ２ａと両凹形状の負レンズＬ２ｂの２枚のレンズからなる接合レンズと、両凹形状の負レンズＬ２ｃと物体側に凸面を向けた正メニスカスレンズＬ２ｄの２枚のレンズからなる接合レンズと、両凹形状の負レンズＬ２ｅとで構成されている。
【００６３】
第３レンズ群Ｇ３は全体として正の屈折力を有しており、像側に凸面を向けた正の平凸レンズＬ３ａと、両凸形状の正レンズＬ３ｂと像側に凸面を向けた負メニスカスＬ３ｃの２枚のレンズからなる接合レンズとで構成されている。
【００６４】
第４レンズ群Ｇ４は全体として正の屈折力を有しており、開口絞りＳと、物体側に凸面を向けた正メニスカスレンズＬ４ａと、物体側に凹面を向けた負の平凹レンズＬ４ｂと、物体側に凸面を向けた正メニスカスレンズＬ４ｃと、両凸形状の正レンズＬ４ｄと両凹形状の負レンズＬ４ｅの２枚のレンズからなる接合レンズと、像側に凸面を向けた正メニスカスレンズＬ４ｆと、両凸形状の正レンズＬ４ｇと、像側に凸面を向けた負メニスカスレンズＬ４ｈで構成されている。
【００６５】
また、実施例１のズームレンズでは、広角端から望遠端への変倍に際して、第１レンズ群と第２レンズ群の間隔が大きく、第２レンズ群と第３レンズ群との間隔が小さくなる。また、実施例１のズームレンズでは、無限遠から近距離物体への合焦に際して、第１Ｂレンズ群を物体側に移動させる。
【実施例２】
【００６６】
図２は、本発明の各々実施例２のズームレンズのレンズ構成図である。物体側より順に、第１レンズ群Ｇ１と、第２レンズ群Ｇ２と、第３レンズ群Ｇ３と、第４レンズ群Ｇ４から構成されている。
【００６７】
第１レンズ群Ｇ１は合焦時固定の第１Ａレンズ群Ｇ１Ａと、合焦時に移動する正の屈折力の第１Ｂレンズ群Ｇ１Ｂで構成されており、第１レンズ群Ｇ１は全体として正の屈折力を有しており、合焦時固定の第１Ａレンズ群Ｇ１Ａは全体として正の屈折力を有しており、物体側に凸面を向けた負メニスカスレンズＬ１ａと両凸形状の正レンズＬ１ｂの２枚のレンズからなる接合レンズで構成されており、合焦時移動の第１Ｂレンズ群Ｇ１Ｂは全体として正の屈折力を有しており、物体側に凸面を向けた正メニスカスレンズＬ１ｃと、物体側に凸面を向けた正メニスカスレンズＬ１ｄとで構成されている。
【００６８】
第２レンズ群Ｇ２は全体として負の屈折力を有しており、像側に凸面を向けた正メニスカスレンズＬ２ａと両凹形状の負レンズＬ２ｂの２枚のレンズからなる接合レンズと、両凹形状の負レンズＬ２ｃと物体側に凸面を向けた正メニスカスレンズＬ２ｄの２枚のレンズからなる接合レンズと、両凹形状の負レンズＬ２ｅとで構成されている。
【００６９】
第３レンズ群Ｇ３は全体として正の屈折力を有しており、像側に凸面を向けた正の平凸レンズＬ３ａと、両凸形状の正レンズＬ３ｂと像側に凸面を向けた負メニスカスＬ３ｃの２枚のレンズからなる接合レンズとで構成されている。
【００７０】
第４レンズ群Ｇ４は全体として正の屈折力を有しており、開口絞りＳと、両凸形状の正レンズＬ４ａと、物体側に凹面を向けた負の平凹レンズＬ４ｂと、物体側に凸面を向けた正メニスカスレンズＬ４ｃと、両凸形状の正レンズＬ４ｄと両凹形状の負レンズＬ４ｅの２枚のレンズからなる接合レンズと、両凸形状の正レンズＬ４ｆと、両凸形状の正レンズＬ４ｇと、像側に凸面を向けた負メニスカスレンズＬ４ｈで構成されている。
【００７１】
また、実施例２のズームレンズでは、広角端から望遠端への変倍に際して、第１レンズ群と第２レンズ群の間隔が大きく、第２レンズ群と第３レンズ群との間隔が小さくなる。また、実施例２のズームレンズでは、無限遠から近距離物体への合焦に際して、第１Ｂレンズ群を物体側に移動させる。
【実施例３】
【００７２】
図３は、本発明の各々実施例３のズームレンズのレンズ構成図である。物体側より順に、第１レンズ群Ｇ１と、第２レンズ群Ｇ２と、第３レンズ群Ｇ３と、第４レンズ群Ｇ４から構成されている。
【００７３】
第１レンズ群Ｇ１は合焦時固定の第１Ａレンズ群Ｇ１Ａと、合焦時に移動する正の屈折力の第１Ｂレンズ群Ｇ１Ｂで構成されており、第１レンズ群Ｇ１は全体として正の屈折力を有している。合焦時固定の第１Ａレンズ群Ｇ１Ａは全体として負の屈折力を有しており、物体側に凸面を向けた負メニスカスレンズＬ１ａと両凸形状の正レンズＬ１ｂの２枚のレンズからなる接合レンズで構成されている。合焦時移動の第１Ｂレンズ群Ｇ１Ｂは全体として正の屈折力を有しており、両凸形状の正レンズＬ１ｃと、両凸形状の正レンズＬ１ｄとで構成されている。
【００７４】
第２レンズ群Ｇ２は全体として負の屈折力を有しており、像側に凸面を向けた正メニスカスレンズＬ２ａと両凹形状の負レンズＬ２ｂの２枚のレンズからなる接合レンズと、両凹形状の負レンズＬ２ｃと物体側に凸面を向けた正メニスカスレンズＬ２ｄの２枚のレンズからなる接合レンズと、両凹形状の負レンズＬ２ｅとで構成されている。
【００７５】
第３レンズ群Ｇ３は全体として正の屈折力を有しており、像側に凸面を向けた正の平凸レンズＬ３ａと、両凸形状の正レンズＬ３ｂと像側に凸面を向けた負メニスカスＬ３ｃの２枚のレンズからなる接合レンズとで構成されている。
【００７６】
第４レンズ群Ｇ４は全体として正の屈折力を有しており、開口絞りＳと、物体側に凸面を向けた正メニスカスレンズＬ４ａと、両凹形状の負レンズＬ４ｂと、物体側に凸面を向けた正メニスカスレンズＬ４ｃと、両凸形状の正レンズＬ４ｄと両凹形状の負レンズＬ４ｅの２枚のレンズからなる接合レンズと、両凸形状の正レンズＬ４ｆと、両凸形状の正レンズＬ４ｇと、像側に凸面を向けた負メニスカスレンズＬ４ｈで構成されている。
【００７７】
また、実施例３のズームレンズでは、広角端から望遠端への変倍に際して、第１レンズ群と第２レンズ群の間隔が大きく、第２レンズ群と第３レンズ群との間隔が小さくなる。また、実施例３のズームレンズでは、無限遠から近距離物体への合焦に際して、第１Ｂレンズ群を物体側に移動させる。
【実施例４】
【００７８】
図４は、本発明の各々実施例４のズームレンズのレンズ構成図である。物体側より順に、第１レンズ群Ｇ１と、第２レンズ群Ｇ２と、第３レンズ群Ｇ３と、第４レンズ群Ｇ４から構成されている。
【００７９】
第１レンズ群Ｇ１は合焦時固定の第１Ａレンズ群Ｇ１Ａと、合焦時に移動する正の屈折力の第１Ｂレンズ群Ｇ１Ｂで構成されており、第１レンズ群Ｇ１は全体として正の屈折力を有している。合焦時固定の第１Ａレンズ群Ｇ１Ａは全体として負の屈折力を有しており、物体側に凸面を向けた負メニスカスレンズＬ１ａと物体側に凸面を向けた正メニスカスレンズＬ１ｂの２枚のレンズからなる接合レンズで構成されている。合焦時移動の第１Ｂレンズ群Ｇ１Ｂは全体として正の屈折力を有しており、物体側に凸面を向けた正メニスカスレンズＬ１ｃと、両凸形状の正レンズＬ１ｄとで構成されている。
【００８０】
第２レンズ群Ｇ２は全体として負の屈折力を有しており、像側に凸面を向けた正メニスカスレンズＬ２ａと両凹形状の負レンズＬ２ｂの２枚のレンズからなる接合レンズと、両凹形状の負レンズＬ２ｃと物体側に凸面を向けた正メニスカスレンズＬ２ｄの２枚のレンズからなる接合レンズと、両凹形状の負レンズＬ２ｅとで構成されている。
【００８１】
第３レンズ群Ｇ３は全体として正の屈折力を有しており、像側に凸面を向けた正の平凸レンズＬ３ａと、両凸形状の正レンズＬ３ｂと像側に凸面を向けた負メニスカスＬ３ｃの２枚のレンズからなる接合レンズとで構成されている。
【００８２】
第４レンズ群Ｇ４は全体として正の屈折力を有しており、開口絞りＳと、物体側に凸面を向けた正メニスカスレンズＬ４ａと、両凹形状の負レンズＬ４ｂと、物体側に凸面を向けた正メニスカスレンズＬ４ｃと、両凸形状の正レンズＬ４ｄと両凹形状の負レンズＬ４ｅの２枚のレンズからなる接合レンズと、両凸形状の正レンズＬ４ｆと、両凸形状の正レンズＬ４ｇと、像側に凸面を向けた負メニスカスレンズＬ４ｈで構成されている。
【００８３】
また、実施例４のズームレンズでは、広角端から望遠端への変倍に際して、第１レンズ群と第２レンズ群の間隔が大きく、第２レンズ群と第３レンズ群との間隔が小さくなる。また、実施例４のズームレンズでは、無限遠から近距離物体への合焦に際して、第１Ｂレンズ群を物体側に移動させる。
【実施例５】
【００８４】
図５は、本発明の各々実施例５のズームレンズのレンズ構成図である。物体側より順に、第１レンズ群Ｇ１と、第２レンズ群Ｇ２と、第３レンズ群Ｇ３と、第４レンズ群Ｇ４から構成されている。
【００８５】
第１レンズ群Ｇ１は合焦時固定の第１Ａレンズ群Ｇ１Ａと、合焦時に移動する正の屈折力の第１Ｂレンズ群Ｇ１Ｂで構成されており、第１レンズ群Ｇ１は全体として正の屈折力を有している。合焦時固定の第１Ａレンズ群Ｇ１Ａは全体として負の屈折力を有しており、物体側に凸面を向けた負メニスカスレンズＬ１ａと物体側に凸面を向けた正メニスカスレンズＬ１ｂの２枚のレンズからなる接合レンズで構成されている。合焦時移動の第１Ｂレンズ群Ｇ１Ｂは全体として正の屈折力を有しており、両凸形状の正レンズＬ１ｃと、物体側に凸面を向けた正メニスカスレンズＬ１ｄとで構成されている。
【００８６】
第２レンズ群Ｇ２は全体として負の屈折力を有しており、像側に凸面を向けた正メニスカスレンズＬ２ａと両凹形状の負レンズＬ２ｂの２枚のレンズからなる接合レンズと、両凹形状の負レンズＬ２ｃと物体側に凸面を向けた正メニスカスレンズＬ２ｄの２枚のレンズからなる接合レンズと、両凹形状の負レンズＬ２ｅとで構成されており、
【００８７】
第３レンズ群Ｇ３は全体として正の屈折力を有しており、像側に凸面を向けた正の平凸レンズＬ３ａと、両凸形状の正レンズＬ３ｂと像側に凸面を向けた負メニスカスＬ３ｃの２枚のレンズからなる接合レンズとで構成されている。
【００８８】
第４レンズ群Ｇ４は全体として正の屈折力を有しており、開口絞りＳと、両凸形状の正レンズＬ４ａと、両凹形状の負レンズＬ４ｂと、物体側に凸面を向けた正メニスカスレンズＬ４ｃと、両凸形状の正レンズＬ４ｄと両凹形状の負レンズＬ４ｅの２枚のレンズからなる接合レンズと、両凸形状の正レンズＬ４ｆと、両凸形状の正レンズＬ４ｇと、像側に凸面を向けた負メニスカスレンズＬ４ｈで構成されている。
【００８９】
また、実施例５のズームレンズでは、広角端から望遠端への変倍に際して、第１レンズ群と第２レンズ群の間隔が大きく、第２レンズ群と第３レンズ群との間隔が小さくなる。また、実施例５のズームレンズでは、無限遠から近距離物体への合焦に際して、第１Ｂレンズ群を物体側に移動させる。
【００９０】
以下、本発明の実施例１〜５に各々対応する数値実施例１〜５を示す。
【００９１】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００９２】
ＢＦはバックフォーカスを表している。
【００９３】
面番号に付した（絞り）は、その位置に開口絞りが位置していることを示している。平面又は開口絞りに対する曲率半径には∞（無限大）を記入している。
【００９４】
［各種データ］には、ズーム比及び各焦点距離状態における焦点距離等の値を示している。
【００９５】
［可変間隔データ］には、各焦点距離状態における無限遠及び至近端での可変間隔及びＢＦの値を示している。
【００９６】
［レンズ群データ］には、各レンズ群を構成する最も物体側の面番号及び群全体の合成焦点距離を示している。
【００９７】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００９８】
また、これらの各実施例における条件式の対応値の一覧を示す。
【００９９】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１００】
数値実施例１
単位：mm
[面データ]
面番号            r             d             nd            vd
物面                ∞          (d0)
1            260.7945        2.5000       1.80610         33.27
2             75.7334       10.3420       1.49700         81.61
3          -1130.2528          (d3)
4             88.3044        8.0087       1.49700         81.61
5           -749.7138        0.6684
6             96.4346        5.7473       1.49700         81.61
7           2221.3820          (d7)
8          -2694.6719        3.8191       1.84666         23.78
9            -68.6087        1.2000       1.49700         81.61
10            80.2603        3.7050
11          -134.6680        1.1000       1.59282         68.62
12            32.7749        3.0000       1.92280         20.88
13            43.8018        5.9986
14           -40.5399        1.1000       1.64769         33.84
15           219.5789         (d15)
16                 ∞        3.4716       1.77250         49.62
17           -83.0123        0.1500
18            93.3625        7.7952       1.59282         68.62
19           -42.0534        1.1500       1.90366         31.32
20          -147.0659         (d20)
21(絞り)              ∞        2.0000
22            66.5299        3.7712       1.59282         68.62
23           956.1112        3.7145
24           -65.5136        1.0000       1.64769         33.84
25                 ∞        0.1500
26            55.4362        3.4636       1.59282         68.62
27           144.5479        2.0000
28           109.5924        6.2000       2.00100         29.13
29           -85.2067        1.6000       1.64769         33.84
30            37.4906        5.5235
31        -19254.4322        4.2724       1.59282         68.62
32           -58.8295        0.1500
33            64.1831        3.9136       1.72916         54.67
34          -431.9228        2.0039
35           -63.0820        1.1000       1.80517         25.46
36          -121.5681          (BF)
像面                ∞
[各種データ]
ズーム比            1.88
広角          中間          望遠
焦点距離           51.50         70.00         97.00
Fナンバー            1.87          1.87          1.87
全画角2ω           31.43         22.81         16.33
像高Y             14.20         14.20         14.20
レンズ全長         200.13        200.15        200.12
[可変間隔データ]
広角          中間          望遠
d0                 ∞            ∞            ∞
d3            15.4650       15.4650       15.4650
d7             2.8108       14.8219       24.4448
d15            15.6072       10.4173        2.6644
d20            16.8282       10.0097        8.1378
BF            48.8021       48.8217       48.7906
広角          中間          望遠
d0           748.8820      748.8820      748.8820
d3             2.0196        2.0000        2.0272
d7            16.2562       28.2636       37.8790
d15            15.6072       10.4173        2.6644
d20            16.8282       10.0097        8.1378
BF            48.8021       48.8241       48.8022
[レンズ群データ]
群           始面          焦点距離
G1            1               93.94
G2            8              -26.60
G3            16              69.14
G4            21              58.52
G1A            1            -1878.89
G1B            4               90.57
【０１０１】
数値実施例２
単位：mm
[面データ]
面番号            r             d             nd            vd
物面                ∞          (d0)
1            288.6966        2.5000       1.80610         33.27
2             78.7647       10.5760       1.59282         68.62
3           -498.1313          (d3)
4             82.2465        6.8539       1.49700         81.61
5           1000.0000        0.2000
6            105.4750        5.0233       1.43699         95.10
7           1492.1547          (d7)
8           -200.2760        3.2560       1.84666         23.78
9            -59.3419        1.2000       1.49700         81.61
10            45.2622        4.8364
11          -116.2424        1.1000       1.59282         68.62
12            56.7077        3.0000       1.94595         17.98
13           110.5171        4.4152
14           -43.0011        1.1000       1.64769         33.84
15           196.6759         (d15)
16                 ∞        3.5412       1.77250         49.62
17           -80.3698        0.1500
18            93.6177        7.9634       1.59282         68.62
19           -40.1438        1.1500       1.90366         31.32
20          -131.4492         (d20)
21(絞り)              ∞        2.0000
22            69.5787        4.0000       1.59282         68.62
23          -949.8793        2.6612
24           -59.7940        1.0000       1.60342         38.01
25                 ∞        0.1500
26            52.9863        5.3752       1.59282         68.62
27           123.0519        2.0000
28           183.1446        6.2000       2.00100         29.13
29           -55.6943        1.5980       1.64769         33.84
30            38.4254        5.6033
31           189.1205        4.2151       1.59282         68.62
32           -86.1519        0.1500
33            70.5190        5.4488       1.72916         54.67
34           -67.6113        0.7802
35           -52.5604        1.1000       1.80609         33.27
36          -467.0176          (BF)
像面                ∞
[各種データ]
ズーム比            1.88
広角          中間          望遠
焦点距離           51.50         70.00         97.00
Fナンバー            1.88          1.88          1.88
全画角2ω           31.43         22.81         16.33
像高Y             14.20         14.20         14.20
レンズ全長         196.89        196.91        196.87
[可変間隔データ]
広角          中間          望遠
d0                 ∞            ∞            ∞
d3            15.8662       15.8662       15.8662
d7             3.5192       16.0190       25.9859
d15            14.4476        9.6706        2.5657
d20            15.1044        7.3956        4.4975
BF            48.8018       48.8160       48.8044
広角          中間          望遠
d0           748.8820      748.8820      748.8820
d3             2.0186        2.0000        2.0369
d7            17.3664       29.8484       39.8344
d15            14.4476        9.6706        2.5657
d20            15.1044        7.3956        4.4975
BF            48.8022       48.8261       48.8046
[レンズ群データ]
群           始面          焦点距離
G1            1               96.73
G2            8              -25.99
G3            16              66.22
G4            21              59.05
G1A            1              781.44
G1B            4              107.43
【０１０２】
数値実施例３
単位：mm
[面データ]
面番号            r             d             nd            vd
物面                ∞          (d0)
1            249.6828        2.5000       1.80610         33.27
2             90.1867        8.5774       1.43700         95.10
3          -2386.5797          (d3)
4            126.2217        5.5838       1.49700         81.61
5          -4788.9034        0.2000
6             88.1727        6.3460       1.49700         81.61
7          -1308.1623          (d7)
8           -281.1798        3.3248       1.84666         23.78
9            -67.4601        1.2000       1.49700         81.61
10           106.2451        2.5861
11          -557.7743        1.1000       1.59282         68.62
12            38.4091        3.0000       1.94595         17.98
13            48.6892        5.9353
14           -45.1513        1.1000       1.64769         33.84
15           253.9344         (d15)
16                 ∞        3.5848       1.77250         49.62
17           -79.5354        0.1500
18            70.1695        7.9503       1.59282         68.62
19           -54.3725        1.1500       1.90366         31.32
20          -192.4526         (d20)
21(絞り)              ∞        2.0000
22            99.4647        2.6978       1.59282         68.62
23           600.4009        3.3704
24           -47.5975        1.0000       1.64769         33.84
25          1049.7140        0.1500
26            55.3611        6.6435       1.59282         68.62
27           190.3982        2.0000
28           350.5225        6.2000       2.00100         29.13
29           -45.1007        1.3841       1.64769         33.84
30            42.0927        2.7729
31           179.4384        4.2629       1.59282         68.62
32           -84.2015        0.1500
33            78.3941        6.3244       1.77250         49.62
34           -59.2134        0.8181
35           -46.9076        1.1000       1.67270         32.17
36          -515.4639          (BF)
像面                ∞
[各種データ]
ズーム比            1.88
広角          中間          望遠
焦点距離           51.50         70.00         97.00
Fナンバー            1.85          1.85          1.85
全画角2ω           31.43         22.82         16.33
像高Y             14.20         14.20         14.20
レンズ全長         203.86        203.89        203.85
[可変間隔データ]
広角          中間          望遠
d0                 ∞            ∞            ∞
d3            23.9444       23.9444       23.9444
d7             3.0912       19.9205       31.5015
d15            18.3104       11.8130        2.4481
d20            14.5488        4.2115        2.0000
BF            48.8021       48.8417       48.7919
広角          中間          望遠
d0           748.8820      748.8820      748.8820
d3             6.5036        6.4684        6.5145
d7            20.5317       37.3627       48.9260
d15            18.3104       11.8130        2.4481
d20            14.5488        4.2115        2.0000
BF            48.8022       48.8421       48.8052
[レンズ群データ]
群           始面          焦点距離
G1            1              105.65
G2            8              -31.11
G3            16              58.19
G4            21              69.72
G1A            1            -1509.23
G1B            4              100.53
【０１０３】
数値実施例４
単位：mm
[面データ]
面番号            r             d             nd            vd
物面                ∞          (d0)
1            144.3370        2.5000       1.80610         33.27
2             60.8584        7.9487       1.49700         81.61
3            513.3303          (d3)
4             80.7459        5.9199       1.49700         81.61
5           5867.3528        0.2000
6             83.3296        5.3792       1.49700         81.61
7          -1227.5158          (d7)
8           -269.7722        3.2361       1.84666         23.78
9            -57.4393        1.2000       1.49700         81.61
10            39.8840        4.3838
11          -144.7989        1.1000       1.59282         68.62
12            55.2210        3.0000       1.94595         17.98
13           106.4466        3.8996
14           -36.1847        1.1000       1.64769         33.84
15           178.9143         (d15)
16                 ∞        3.2877       1.77250         49.62
17           -77.3262        0.1500
18            88.1174        6.3236       1.59282         68.62
19           -41.2326        1.1500       1.90366         31.32
20          -126.9528         (d20)
21(絞り)              ∞        2.0000
22            65.1799        3.4446       1.59282         68.62
23         -5777.8940        2.4502
24           -63.7673        1.0000       1.64769         33.84
25                 ∞        0.1500
26            53.5526        3.1628       1.59282         68.62
27           179.6579        5.1096
28           208.5323        4.0544       2.00100         29.13
29           -55.7579        1.0000       1.64769         33.84
30            36.0000        6.7680
31           103.2368        4.4532       1.59282         68.62
32           -77.2002        0.1500
33           107.5473        3.3205       1.77250         49.62
34          -165.2339        1.6551
35           -55.0535        1.1000       1.67270         32.17
36          -159.6218          (BF)
像面                ∞
[各種データ]
ズーム比            1.88
広角          中間          望遠
焦点距離           51.50         70.00         97.00
Fナンバー            2.05          2.05          2.05
全画角2ω           31.43         22.81         16.33
像高Y             14.20         14.20         14.20
レンズ全長         179.50        179.51        179.49
[可変間隔データ]
広角          中間          望遠
d0                 ∞            ∞            ∞
d3            12.7758       12.7758       12.7758
d7             3.0042       14.0510       22.7096
d15            15.0078        9.9862        2.6110
d20             9.3154        3.2911        2.0000
BF            48.8021       48.8096       48.8008
広角          中間          望遠
d0           748.8820      748.8820      748.8820
d3             2.0000        2.0000        2.0057
d7            13.7796       24.8316       33.4854
d15            15.0078        9.9862        2.6110
d20             9.3154        3.2911        2.0000
BF            48.8027       48.8072       48.8022
[レンズ群データ]
群           始面          焦点距離
G1            1               84.79
G2            8              -24.44
G3            16              61.45
G4            21              61.39
G1A            1            -2422.45
G1B            4               81.56
【０１０４】
数値実施例５
単位：mm
[面データ]
面番号            r             d             nd            vd
物面                ∞          (d0)
1            208.0835        2.5000       1.80610         33.27
2             82.1778        8.6309       1.43700         95.10
3           3616.6180          (d3)
4             94.1285        7.1731       1.49700         81.61
5           -694.1117        1.0000
6            107.7475        4.8483       1.49700         81.61
7           1070.3327          (d7)
8           -370.8798        3.5447       1.84666         23.78
9            -63.8724        1.2000       1.49700         81.61
10            72.6448        3.7911
11          -143.5278        1.1000       1.59282         68.62
12            40.8692        3.0000       1.92285         20.88
13            60.8147        5.2537
14           -43.4171        1.1000       1.64769         33.84
15           168.9154         (d15)
16                 ∞        3.7602       1.77250         49.62
17           -73.9793        0.1500
18           103.9120        6.7404       1.59282         68.62
19           -47.6012        1.1500       1.90366         31.32
20          -136.6476         (d20)
21(絞り)              ∞        2.0000
22            65.0497        3.9483       1.59282         68.62
23         -3008.3715        2.7153
24           -57.8007        1.0000       1.64769         33.84
25                 ∞        0.1500
26            55.7725        7.2000       1.59282         68.62
27           150.2290        2.5057
28           370.8133        6.2000       2.00100         29.13
29           -52.3964        1.6000       1.64769         33.84
30            39.8957        4.1021
31           108.2174        4.7661       1.59282         68.62
32           -75.7097        0.1500
33            96.4285        4.1466       1.77250         49.62
34          -108.0949        1.1469
35           -61.7259        1.1000       1.67270         32.17
36          -515.4639          (BF)
像面                ∞
[各種データ]
ズーム比            1.88
広角          中間          望遠
焦点距離           51.50         70.00         97.00
Fナンバー            1.84          1.84          1.84
全画角2ω           31.43         22.82         16.33
像高Y             14.20         14.20         14.20
レンズ全長         202.09        202.10        202.09
[可変間隔データ]
広角          中間          望遠
d0                 ∞            ∞            ∞
d3            19.7423       19.7423       19.7423
d7             3.4656       18.9182       30.9468
d15            14.2953        9.5309        2.5801
d20            18.1112        7.4220        2.3490
BF            48.8019       48.8093       48.7958
広角          中間          望遠
d0           748.8820      748.8820      748.8820
d3             2.0014        2.0000        2.0048
d7            21.2065       36.6518       48.6801
d15            14.2953        9.5309        2.5801
d20            18.1112        7.4220        2.3490
BF            48.8019       48.8126       48.8020
[レンズ群データ]
群           始面          焦点距離
G1            1              105.94
G2            8              -27.96
G3            16              61.82
G4            21              62.51
G1A            1            -1400.46
G1B            4               99.88
【０１０５】
条件式      1       2        3      4        5      6       7
f1/f1A   f3/f2   f1B/f4 φEXP/f4  ν1B    ν1A    νp2
実施例1   -0.050   -2.60    1.55    0.83    81.61   81.61   20.88
実施例2    0.124   -2.55    1.82    0.82    95.10   68.62   17.98
実施例3   -0.070   -1.87    1.44    0.69    81.61   95.10   17.98
実施例4   -0.035   -2.51    1.33    0.73    81.61   81.61   17.98
実施例5   -0.076   -2.21    1.60    0.79    81.61   95.10   20.88
【図１】
0006631085.tif 000002
【図２】
0006631085.tif 000003
【図３】
0006631085.tif 000004
【図４】
0006631085.tif 000005
【図５】
0006631085.tif 000006
【図６】
0006631085.tif 000007
【図７】
0006631085.tif 000008
【図８】
0006631085.tif 000009
【図９】
0006631085.tif 000010
【図１０】
0006631085.tif 000011
【図１１】
0006631085.tif 000012
【図１２】
0006631085.tif 000013
【図１３】
0006631085.tif 000014
【図１４】
0006631085.tif 000015
【図１５】
0006631085.tif 000016
【図１６】
0006631085.tif 000017
【図１７】
0006631085.tif 000018
【図１８】
0006631085.tif 000019
【図１９】
0006631085.tif 000020
【図２０】
0006631085.tif 000021
【図２１】
0006631085.tif 000022
【図２２】
0006631085.tif 000023
【図２３】
0006631085.tif 000024
【図２４】
0006631085.tif 000025
【図２５】
0006631085.tif 000026
【図２６】
0006631085.tif 000027
【図２７】
0006631085.tif 000028
【図２８】
0006631085.tif 000029
【図２９】
0006631085.tif 000030
【図３０】
0006631085.tif 000031
【図３１】
0006631085.tif 000032
【図３２】
0006631085.tif 000033
【図３３】
0006631085.tif 000034
【図３４】
0006631085.tif 000035
【図３５】
0006631085.tif 000036